【手続補正書】
【提出日】平成19年11月2日(2007.11.2)
【手続補正１】
【補正対象書類名】特許請求の範囲
【補正対象項目名】全文
【補正方法】変更
【補正の内容】
【特許請求の範囲】
【請求項１】
WWAN内のWWANアドレスを有する移動端末が、前記WWANとWLAN間でハンドオーバーするために、WWANネットワークシステムにより実行される通信方法であって、
(a) 前記移動端末が前記WLANに入る時、当該移動端末により送出される登録レポートを受信するステップであって、前記登録レポートが、少なくとも、前記WLANに入る時、前記移動端末が得るWLANアドレスを含む、ステップと；
(b) 前記移動端末の前記WWANアドレスと前記WLANアドレス間のマッピング関係を設定するステップとを有する通信方法。
【請求項２】
(c)ソースアドレスから当該移動端末に送出されるべき前記データ情報を受信するステップと、
(d)当該WLANアドレスを、当該WWANアドレスと当該WLANアドレス間の前記マッピング関係に従って、当該移動端末に送出されるべき前記データ情報の中にカプセル化するステップと、
(e)当該WLANアドレスを含む前記データ情報を、当該移動端末に当該WLANを介して送出するステップとをさらに有する請求項1に記載の方法。
【請求項３】
(f)当該移動端末により宛先アドレスに当該WLANを介して送出される、当該WLANアドレスを含む前記データ情報を受信するステップと、
(g)当該WLANアドレスを含む前記データ情報をアンパックし、かつ前記アンパックされたデータ情報を前記宛先アドレスへ送出するステップとをさらに有する請求項1または2に記載の方法。
【請求項４】
前記移動端末が当該WLANを離れる時、当該移動端末により送出された登録を取り消すためのレポートを受信するステップと、
登録を取り消すための当該レポートに従って、前記ネットワークシステムにおける当該移動端末の当該WWANアドレスと当該WLANアドレス間の前記マッピング関係を削除するステップとをさらに有する請求項3に記載の方法。
【請求項５】
前記移動端末が別のWLANに入る時、当該移動端末により送出された登録レポートを受信するステップであって、前記登録レポートが、少なくとも、前記別のWLANに入る時に、当該移動端末が得る別のWLANアドレスを含む、ステップと、
当該移動端末の当該WWANアドレスと当該WLANアドレス間の前記マッピング関係を、当該登録レポートに従って、当該WWANアドレスと前記別のWLANアドレス間の前記マッピング関係にアップデートするステップとをさらに有する請求項3に記載の方法。
【請求項６】
当該登録レポートおよび登録を取り消すための当該レポートが、前記ネットワークシステムへ、WWANリンクおよびWLANリンクの1つを介して、転送可能である請求項4に記載の方法。
【請求項７】
移動端末がWWANとWLAN間でハンドオーバーするための、当該移動端末により実行される通信方法であって、
(a)前記WLANに入る時、WLANアドレスを得るステップと、
(b)登録レポートを前記WWANネットワークシステムに送出するステップであって、前記登録レポートが、少なくとも、前記WLANアドレスを含む、ステップとを有する通信方法。
【請求項８】
(c)前記移動端末が当該WLANを離れる時、前記移動端末の当該WLANアドレスが無効であることを、当該WWANネットワークシステムに通知するように、登録を取り消すためのレポートを、当該WWANネットワークシステムに送出するステップをさらに有する請求項7に記載の方法。
【請求項９】
当該登録レポートおよび登録を取り消すための当該レポートが、当該ネットワークシステムにWWANリンクおよびWLANリンクの1つを介して、転送可能である請求項8に記載の方法。
【請求項１０】
(d) ソースアドレスから当該WWANネットワークシステムを介して転送された当該WLANアドレスを含む前記データ情報を受信するステップであって、当該WLANアドレスが、前記データ情報内に当該WWANネットワークシステムによりカプセル化される、ステップと、
(e)前記データ情報を前記ソースアドレスから得るために、前記受信されたデータ情報をアンパックするステップとをさらに有する請求項9に記載の方法。
【請求項１１】
(f)当該WLANアドレスを、宛先アドレスに送出されるべき前記データ情報の中にカプセル化するステップと、
(g)当該WWANネットワークシステムによりアンパックされた前記データ情報を前記宛先アドレスへ送出するように、当該WLANアドレスを含む前記データ情報を、当該WWANネットワークシステムへ送出するステップとをさらに有する請求項10に記載の方法。
【請求項１２】
WWANネットワークシステムであって、前記WWAN内のWWANアドレスを有する移動端末が、前記WWANとWLAN間で、ハンドオーバーすることを可能にするシステムにおいて、
前記移動端末が前記WLANに入る時、登録レポートを当該移動端末から受信するための受信ユニットであって、前記登録レポートが、少なくとも、前記WLANに入る時に前記移動端末が得るWLANアドレスを含む、受信ユニットと、
前記登録レポートに従って、前記移動端末の前記WWANアドレスと前記WLANアドレス間のマッピング関係を設定するための設定ユニットとを有するシステム。
【請求項１３】
当該移動端末へ送出されるべきソースアドレスからの前記データ情報を受信した時、当該WLANアドレスを、当該WWANアドレスと当該WLANアドレス間の前記マッピング関係に従って、当該移動端末に送出されるべき前記データ情報の中にカプセル化するためのカプセル化ユニットと、
当該WLANアドレスを含む前記データ情報を、当該移動端末に当該WLANを介して送出するための送出ユニットとをさらに有する請求項12に記載のWWANネットワークシステム。
【請求項１４】
宛先アドレスへ当該移動端末により当該WLANを介して送出された、当該WLANアドレスを含む前記データ情報を受信した時、当該WLANアドレスを含む前記データ情報をアンパックし、かつ前記アンパックされたデータ情報を前記宛先アドレスへ送出するためのアンパックユニットをさらに有する請求項12または13に記載のWWANネットワークシステム。
【請求項１５】
前記移動端末が当該WLANを離れる時に当該移動端末により送出された登録を取り消すためのレポートを受信した時、前記ネットワークシステムにおける当該移動端末の当該WWANアドレスと当該WLANアドレス間の前記マッピング関係を、登録を取り消すための前記レポートに従って、削除するための削除ユニットをさらに有する請求項14に記載のWWANネットワークシステム。
【請求項１６】
前記移動端末が別のWLANに入る時に当該移動端末により送出される登録レポートを受信した時、当該移動端末の当該WWANアドレスと当該WLANアドレス間の前記マッピング関係を、当該WWANアドレスと前記別のWLANアドレス間の前記マッピング関係に、前記登録レポートに従って、アップデートするためのアップデートユニットをさらに有し、前記登録レポートが、少なくとも、前記別のWLANに入る時に当該移動端末が得る前記別のWLANアドレスを含む、請求項15に記載のWWANネットワークシステム。
【請求項１７】
WWAN内のWWANアドレスを有する移動端末であって、前記WWANとWLAN間でハンドオーバーすることができる移動端末において、
前記移動端末が前記WLANに入る時、WLANアドレスを受信するための受信ユニットと、
登録レポートを前記WWANネットワークシステムに送出するための送出ユニットであって、前記登録レポートが、少なくとも、前記WLANアドレスを含む、送出ユニットとを有する移動端末。
【請求項１８】
前記移動端末が当該WLANを離れる時、前記移動端末の当該WLANアドレスが無効であることを、当該WWANネットワークシステムに通知するように、当該送出ユニットが、登録を取り消すためのレポートを当該WWANネットワークシステムへ送出する請求項17に記載の移動端末。
【請求項１９】
当該受信ユニットが、当該WWANネットワークシステムを介してソースアドレスから転送された当該WLANアドレスを含む前記データ情報を受信し、当該WLANアドレスが、前記データ情報内に当該WWANネットワークシステムによりカプセル化され、
アンパックユニットが、前記データ情報を前記ソースアドレスから得るために、前記受信されたデータ情報を、アンパックする請求項18に記載の移動端末。
【請求項２０】
当該WLANアドレスを、宛先アドレスに送出されるべき前記データ情報の中にカプセル化するためのカプセル化ユニットをさらに有し、
当該送出ユニットが、当該WWANネットワークシステムによりアンパックされた前記データ情報を前記宛先アドレスへ送出するために、当該WLANアドレスを含む前記データ情報を当該WWANネットワークシステムへ送出する請求項19に記載の移動端末。